(57)【要約】【課題】  少なくとも、背面投射型映像装置の主要構成部品である投写ユニットと、この投写ユニットの駆動制御する各種の回路基板を組付けたシャーシを共通化し、かつ、筐体全体の薄型化を図る。【解決手段】  スクリーン７，７ａのインチサイズに合わせて上部キャビネット３に取り付ける反射ミラー９の角度と、投写ユニット１５の取付角度を設定する。投写ユニット１５を取り付ける支持フレーム２０は、底板部２０ａと立ち上がり部２０ｂとを備え、立ち上がり部２０ｂに投写ユニット１５を固定する。インチサイズに対応して底板部２０ａに対する立ち上がり部２０ｂの角度を設定し、投写ユニット１５の取付角度を設定する。これにより、スクリーン７，７ａのインチサイズに対して背面投射型映像装置を薄型化することが可能な投写ユニット１５の取付角度を設定できる。【選択図】  図３
2006098925.tif 000002
【特許請求の範囲】
【請求項１】
上下に分割した上部キャビネットと下部キャビネットとで筐体を構成し、前記上部キャビネットに少なくともスクリーンと反射ミラーとを設け、前記下部キャビネットには少なくともランプユニットから投射された光束を画像情報に応じて変調して光学像を形成するとともに、該光学像を拡大投写する投写ユニットと、この投写ユニットを制御する各種制御用基板などの主要構成部品を固定するシャーシを設けるとともに、前記投写ユニットを組み付けて該投写ユニットを前記シャーシに固定する支持フレームを設け、前記上部キャビネットに装備されるスクリーンのサイズに応じて前記支持フレームにより前記投写ユニットから前記反射ミラーに投写される光学像の光軸の角度及び前記反射ミラーの角度を変更することによって、前記上部キャビネットに装備されるスクリーンのサイズを選択できるように構成したことを特徴とする背面投射型映像装置。
【請求項２】
前記支持フレームは、前記シャーシに固定される底板部と、この底板部の一側縁から立設した立ち上がり板とを備えたほぼＬ字型に折曲するとともに、前記立ち上がり板に前記投写ユニットを固定することによって、該投写ユニットから前記反射ミラーに投写される光学像の光軸の角度を設定し、かつ、前記底板部に対する前記立ち上がり板の角度を前記スクリーンのサイズ毎に設定したことを特徴とする請求項１記載の背面投射型映像装置。
【請求項３】
任意のスクリーンからサイズを大型化した際、前記立ち上がり板を前記反射ミラー側に傾斜させるとともに、前記反射ミラーを起立方向に傾斜させるように設定したことを特徴とする請求項２記載の背面投射型映像装置。
【発明の詳細な説明】
【技術分野】
【０００１】
本発明は、投写ユニットから投写される光学像を反射して筐体の一側面に露出して設けたスクリーンに投影させる背面投射型映像装置、特に、少なくとも投写ユニットと、これを制御する各種制御用基板などの主要構成部品を共通化し、スクリーンのサイズを選択できるように構成したことを特徴とする背面投射型映像装置に関する。
【背景技術】
【０００２】
従来、背面投射型映像装置として特許文献１に記載されたものが知られている。ここで開示されている背面投射型映像装置は、ランプユニットから投射された光束を画像情報に応じて変調して光学像を形成するとともに、該光学像を拡大投写する投写ユニットと、投写画像を反射する反射ミラーと、反射ミラーからは反射した光学像を投影するスクリーンを箱状の筐体に収納し、反射ミラーで反射した光学像をスクリーン上に投影するように構成している。
【０００３】
ところで、この種の背面投射型映像装置の各画面は、複数のインチサイズが存在し、そのインチサイズが変われば、これを収納する筐体のサイズも変わることになる。しかし、スクリーンのサイズに応じて数種の筐体を用意することは、生産性が悪くしかもコスト高となるため、特許文献２には、背面投射型映像装置を上部キャビネットと下部キャビネットとに分割して形成し、上部キャビネットにスクリーン及び反射ミラーを装備し、下部キャビネットに映像機器、駆動及び制御回路、投写レンズを含む投写ユニット及び光源からなる主要構成部品等のテレビとしての主要構成部品を装備し、前記投写レンズのフォーカスを調整することで上部にセットされるスクリーン及びこれを収容する上部キャビネットの大きさを選択できるように構成した背面投射型映像装置が提案されている。
【０００４】
【特許文献１】特開２００３−３３７３７７号公報
【特許文献２】特許第３３８１１８１号公報
【発明の開示】
【発明が解決しようとする課題】
【０００５】
特許文献２に示す背面投射型映像装置は、サイズの異なるスクリーンを備えた複数種の上部キャビネットを用意し、これを下部キャビネットに選択的に組み合わせることで、主要構成部品を固定した下部キャビネットを共通化できるものの、下部キャビネットと主要構成部品の共通化を図るためには、図５に示すように、スクリーンのサイズを変更する毎に下部キャビネットに組み付けた投写レンズのフォーカスを調整する必要がある。すなわち、背面投射型映像装置は、投写ユニットＬから投写される投写画像を反射ミラーＭで反射し、これをスクリーンに投影することから、例えば、３７インチのスクリーンSと５０インチのスクリーンS１に投影する場合、特許文献２に示す構造では、３７インチのスクリーンSと５０インチのスクリーンS１とで投写レンズＬのフォーカスを単純に調整することから、３７インチのスクリーンSから５０インチのスクリーンS１に変更した場合、必然的に焦点距離が長くなる。このため、スクリーンが大型化するに従って、上部キャビネットの奥行き方向の幅が大きくなってしまう。しかし、近年では、居住空間の確保などの観点から省スペース化が望まれており、画面サイズの大型化と併せて小型・薄型化が重要な課題となっている。
【０００６】
本発明は上記課題を解決するものであり、部品の共通化によるコストの削減を図るとともに、画面の大型化と装置全体の薄型化とが可能な背面投射型映像装置を提供することを目的とする。
【課題を解決するための手段】
【０００７】
請求項１に係る背面投射型映像装置は、上下に分割した上部キャビネットと下部キャビネットとで筐体を構成し、前記上部キャビネットに少なくともスクリーンと反射ミラーとを設け、前記下部キャビネットには少なくともランプユニットから投射された光束を画像情報に応じて変調して光学像を形成するとともに、該光学像を拡大投写する投写ユニットと、この投写ユニットを制御する各種制御用基板などの主要構成部品を固定するシャーシを設けるとともに、前記投写ユニットを組み付けて該投写ユニットを前記シャーシに固定する支持フレームを設け、前記上部キャビネットに装備されるスクリーンのサイズに応じて前記支持フレームにより前記投写ユニットから前記反射ミラーに投写される光学像の光軸の角度及び前記反射ミラーの角度を変更することによって、前記上部キャビネットに装備されるスクリーンのサイズを選択できるように構成したことを特徴とする。
【０００８】
請求項１の構成により、下部キャビネットに固定したシャーシに背面投射型映像装置の主要構成部品を装備させ、上部キャビネットにはスクリーン及び反射ミラーを装備させ、投写ユニットから反射ミラーに投写される光学像の光軸の角度及び前記反射ミラーの角度を変更することによって、背面投射型映像装置の主要構成部品及びこれを取り付けたシャーシはスクリーンのインチサイズに関係無く共通したものを使用でき、スクリーンとこれを組み付けた上部キャビネットと反射ミラーは任意のインチサイズに適用できるので、多種類に渡るインチサイズの背面投射型映像装置を簡単に製造可能となる。
【０００９】
請求項２に係る背面投射型映像装置は、請求項１記載の背面投射型映像装置において、前記支持フレームは、前記シャーシに固定される底板部と、この底板部の一側縁から立設した立ち上がり板とを備えたほぼＬ字型に折曲するとともに、前記立ち上がり板に前記投写ユニットを固定することによって、該投写ユニットから前記反射ミラーに投写される光学像の光軸の角度を設定し、かつ、前記底板部に対する前記立ち上がり板の角度を前記スクリーンのサイズ毎に設定したことを特徴とする。
【００１０】
請求項２の構成により、予めスクリーンのサイズ毎に底板部に対して立ち上がり板の角度を設定した支持フレームを複数種類用意し、その立ち上がり板に投写ユニットを固定することによって、スクリーンのサイズに対応して投写ユニットから反射ミラーに投写される光学像の光軸の角度が決定される。
【００１１】
請求項３に係る背面投射型映像装置は、請求項２記載の背面投射型映像装置において、任意のスクリーンからサイズを大型化した際、前記立ち上がり板を前記反射ミラー側に傾斜させるとともに、前記反射ミラーを起立方向に傾斜させるように設定したことを特徴とする。
【００１２】
請求項３の構成により、スクリーンのサイズを大型化した際、反射ミラーを起立方向に傾斜させことによって、その分、上部キャビネット、ひいては背面投射型映像装置の薄型化が可能となる。
【発明の効果】
【００１３】
請求項１に係る背面投射型映像装置によれば、上下に分割した上部キャビネットと下部キャビネットとで筐体を構成し、前記上部キャビネットに少なくともスクリーンと反射ミラーとを設け、前記下部キャビネットには少なくともランプユニットから投射された光束を画像情報に応じて変調して光学像を形成するとともに、該光学像を拡大投写する投写ユニットと、この投写ユニットを制御する各種制御用基板などの主要構成部品を固定するシャーシを設けるとともに、前記投写ユニットを組み付けて該投写ユニットを前記シャーシに固定する支持フレームを設け、前記上部キャビネットに装備されるスクリーンのサイズに応じて前記支持フレームにより前記投写ユニットから前記反射ミラーに投写される光学像の光軸の角度及び前記反射ミラーの角度を変更することによって、前記上部キャビネットに装備されるスクリーンのサイズを選択できるように構成したものであるから、インチサイズに関係無く、投写ユニットを制御する各種制御用基板などの主要構成部品を固定するシャーシを共通化でき、部品の共通化により、製造コストを削減できるとともに、投写ユニットから反射ミラーに投写される光学像の光軸の角度及び前記反射ミラーの角度を変更することで上部キャビネットを薄型化することができる。
【００１４】
請求項２に係る背面投射型映像装置によれば、請求項１記載の背面投射型映像装置において、前記支持フレームは、前記シャーシに固定される底板部と、この底板部の一側縁から立設した立ち上がり板とを備えたほぼＬ字型に折曲するとともに、前記立ち上がり板に前記投写ユニットを固定することによって、該投写ユニットから前記反射ミラーに投写される光学像の光軸の角度を設定し、かつ、前記底板部に対する前記立ち上がり板の角度を前記スクリーンのサイズ毎に設定したものであるから、支持フレームに投写ユニットを固定すれば、スクリーンのサイズに対応して投写ユニットから投写される光学像の光軸の角度を簡単に設定することができる。
【００１５】
請求項３に係る背面投射型映像装置によれば、請求項２記載の背面投射型映像装置において、任意のスクリーンからサイズを大型化した際、前記立ち上がり板を前記反射ミラー側に傾斜させるとともに、前記反射ミラーを起立方向に傾斜させるように設定したものであるから、スクリーンのサイズが大型化しても上部キャビネットを薄型化することができる。
【発明を実施するための最良の形態】
【００１６】
以下、本発明を実施するための最良の形態としての実施例を以下に説明する。もちろん、本発明は、その発明の趣旨に反しない範囲で、実施例において説明した以外の構成のものに対しても容易に適用可能なことは説明を要するまでもない。
【００１７】
図１は、本発明に係る背面投射型映像装置の概略構成を示す側面から見た断面図であり、４２インチのスクリーンを備えた場合を示している。図２は５２インチのスクリーンを備えた場合の側面から見た断面図、図３は、インチサイズを変えた場合の反射ミラーと投写ユニットの位置関係を示す説明図、図４は、基板のレイアウトを示す平面図である。
【００１８】
同図を参照して背面投射型映像装置１の主な構成について説明する。背面投射型映像装置１の筐体２は、上下に分離可能な上部キャビネット３と、下部キャビネット４とから構成され、これら上部キャビネット３と下部キャビネット４とは、それぞれが独立しており、下部キャビネット４の上部に上部キャビネット３が組み付けられる。
【００１９】
上部キャビネット３は、フロントキャビネット５とバックキャビネット６とで構成されている。フロントキャビネット５は前面側に表示窓５ａを有する枠状に形成され、表示窓５ａの内側にスクリーン７を固定している。一方、バックキャビネット６は、底板部６ａと背面板部６ｂと左右側板部６ｃを有して前面を開口した箱状に形成され、その開口部分に前記スクリーン７を固定したフロントキャビネット５を組付けるとともに、背面板部６ｂの内面に形成する取付部８に反射ミラー９が取り付けられる。また、バックキャビネット６の背面板部６ｂは全体として傾斜しており、前面側に取り付けられたスクリーン７と後述する投写レンズによる映像の反射との位置関係を考慮して、予め計算された傾斜角度をもって設定されており、その傾斜した背面板部６ｂの内側に前記反射ミラー９の取付部８が形成されている。
【００２０】
下部キャビネット４は、底板部４ａと前面板部４ｂと左右側板部４ｃと上板部４ｄとを有して背面部を開口したほぼ箱型に形成するとともに、その開口部を背面板１０で塞いでその内部に背面投射型映像装置１の投写ユニット１５を収容している。このように、投写ユニット１５を収容する下部キャビネット４の上板部４ｄ上に前記スクリーン７及び反射ミラー９を組付けた上部キャビネット３を載置するものであり、これら下部キャビネット４の上部キャビネット３との重ね合わせ面となる上板部４ｄと底板部６ａにはそれぞれ投写ユニット１５を挿通する開口部１１が形成されている。
【００２１】
前記投写ユニット１５は、光源となるハロゲンランプやメタルハイランドランプなどの高輝度ランプ１６を備えたランプユニット１７を備え、ランプ１６から照射された光束を光学的に処理して画像情報に対応した光学像を形成し、この光学像を拡大して投写するユニットである。また、投写ユニット１５のケーシング１８には、投写レンズ１９が固定され、そのケーシング１８内には、ランプ１６からの光を略平行光にするリレーレンズ、リレーレンズを透過した光を透過光と反射光に分割する偏光ビームスプリッター、偏光ビームスプリッターで反射、透過した光を変調し映像光とする反射型液晶パネルからなる偏光変換素子などの構成部品が一体的に固定されてユニット化されており、偏光変換素子によって変調された映像光がケーシング１８の上面に組み込まれた前記投写レンズ１９によって前記反射ミラー９に投写される。また、ケーシング１８とランプユニット１７とを一体的に連結させ、このように一体的にユニット化された投写ユニット１５と、この投写ユニット１５を駆動制御するドライバ回路基板１５ａとを金属製の支持フレーム２０によって一体化している。
【００２２】
また、前記下部キャビネット４の内底部にはシャーシ２５が固定され、このシャーシ２５上に前記投写ユニット１５を含む背面投射型映像装置１の駆動及びこれらの制御するための各種基板が固定されている。また、下部キャビネット４の前面側には、下部キャビネット４を目隠しする化粧パネル２６が取り付けられており、この化粧パネル２６には各種の操作部が設けられ、各種の操作が手動あるいはリモートコントロールによる操作を行えるようにしてある。
【００２３】
図４は各基板のレイアウトを示す平面図であり、同図で示すように、スクリーン７を前面側とした場合、投写ユニット１５の図示左側には電源回路基板４０と、アナログ信号処理基板４１が前後に並設され、これら電源回路基板４０及びアナログ信号処理基板４１と前記投写ユニット１５との間にデジタル回路基板４２が配置されている。また、投写ユニット１５の背面側にはスケーラー回路基板４３が配置され、ランプユニット１７側となる投写ユニット１５の図示右側には、ランプ駆動回路基板４４が下部キャビネット４の背面側に配置されている。
【００２４】
前記電源回路基板４０はランプ駆動回路基板４４や各部信号系及び制御用マイコン（図示せず）に電源を供給している。前記アナログ信号処理基板４１には、アナログチューナ４５、入出力端子４６が実装され、アナログチューナ４５から入力されたアナログ信号を入出力端子４６から外部機器に出力するとともに、入出力端子４６から入力されたアナログ信号をスケーラー回路基板４３に出力する。また、アナログ信号処理基板４１には音声多重信号やサラウンド信号を生成するためのオーディオブロックを備え、音声信号などのアナログ信号を処理する。デジタル回路基板４２は、デジタルチューナー、デジタルチューナー入力回路及びデジタル信号をアナログ信号に変換するＤ／Ａコンバータ（図示せず）を備え、前記アナログ信号処理基板４１及びスケーラー回路基板４３にデジタル信号を送信する。スケーラー回路基板４３はアナログ信号処理基板４１から送られる信号に基づいて所定の表示形式（解像度）に変換し、主にスクリーン７に表示するための処理を行う。また、スケーラー回路基板４３はビデオデコーダ回路（図示せず）を備え、圧縮された入力信号をデコードする機能を有している。ランプ駆動回路基板４４は前記電源回路基板４０から供給された電圧を制御し、ランプ１６を点灯させるための高電圧（約１０００Ｖ）を発生させてドライバ回路基板１５ａに出力するトランスを備えたランプ制御用の基板であり、ドライバ回路基板１５ａは、ランプ駆動回路基板４４から出力された電圧に基づいてランプ１６のオン・オフ、表示画面のホワイトバランスやブライト等の明るさなどを制御する投写ユニット１５の制御用基板である。また、前記デジタル回路基板４２とスケーラー回路基板４３及び前記ドライバ回路基板１５ａは金属製のシールドケース５０、５１、５２によって周囲を覆われている。これらのシールドケース５０、５１、５２は電磁ノイズの漏れを防止する機能を有している。なお、デジタル回路基板４２とスケーラー回路基板４３のシールドケース５０、５１はドライバ回路基板１５ａの直交する二辺、本実施例では、デジタル回路基板４２のシールドケース５０がドライバ回路基板１５ａの左側縁、スケーラー回路基板４３のシールドケース５１がドライバ回路基板１５ａの後端縁に沿って立設されている。また、ドライバ回路基板１５ａの左側縁に沿って立設されたデジタル回路基板４２のシールドケース５０は、電源回路基板４０、アナログ信号処理基板４１とドライバ回路基板１５ａとの間に介在してこれら電源回路基板４０、アナログ信号処理基板４１とドライバ回路基板１５ａとを仕切るように立設され、かつ、ドライバ回路基板１５ａの後端縁に沿って立設されたスケーラー回路基板４３のシールドケース５１は、投写ユニット１５を固定する支持フレーム２０の立ち上がり部２０ｂと対向して投写ユニット１５と下部キャビネット４の背面板１０との間に立設され、これらシールドケース５０，５１と支持フレーム２０の立ち上がり部２０ｂによってドライバ回路基板１５ａが三方を囲まれる。このように、ドライバ回路基板１５ａの三方を各シールドケース５０，５１と支持フレーム２０の立ち上がり部２０ｂとで囲むことによって、ドライバ回路基板１５ａへのノイズの混入を抑制するようにしている。
【００２５】
このように、シャーシ２５には背面投射型映像装置１の主要構成部品が固定され、また、投写ユニット１５と、この投写ユニット１５のドライバ回路基板１５ａとを固定してユニット化する前記支持フレーム２０は底板部２０ａと、この底板部２０ａの一側から立ち上がり部２０ｂを立設して全体としてほぼＬ型に形成され、その立ち上がり部２０ｂに前記ランプユニット１７を一体化した投写ユニット１５のケーシング１８をねじ止めしている。また、底板部２０ａには前記ドライバ回路基板１５ａを固定する取付片３０を切り起し形成し、この取付片３０にほぼ水平に載置したドライバ回路基板１５ａをねじ止めしている。このようにして、投写ユニット１５及びドライバ回路基板１５ａを固定した支持フレーム２０は、前記シャーシ２５の底部及び下部キャビネット４の前面板部４ｂに一体形成するボス部３１にねじ止めされている。また、支持フレーム２０に固定される投写ユニット１５は、反射ミラー９から反射される光学像の光路Ｒに掛からない範囲で底板部２０ａから浮かせるように、立ち上がり部２０ｂの上部に固定され、その投写ユニット１５と底板部２０ａとの間にドライバ回路基板１５ａを固定している。
【００２６】
前述したように、投写ユニット１５は、支持フレーム２０の立ち上がり部２０ｂに固定され、立ち上がり部２０ｂの角度によって反射ミラー９への入射角が決定され、その立ち上がり部２０ｂの角度と上部キャビネット３に取り付けられる反射ミラー９の角度を変えることによって、上部キャビネット３の画面サイズを任意に選択することが可能である。
【００２７】
すなわち、投写ユニット１５を含む背面投射型映像装置１の駆動及びこれらの制御するための各種基板４０〜４４が固定されるシャーシ２５を共通化し（場合によってはシャーシ２５を含む下部キャビネット４の共通化も可能）、サイズが異なるスクリーン７を組み込んだ上部キャビネット３を選択的に組付ける。例えば、スクリーン７のサイズとして４２インチ、５０インチ又はそれ以上のいずれにも適用することができ、上部キャビネット３を代えるだけで背面投射型映像装置１の主要部、本実施例では投写ユニット１５含む背面投射型映像装置１の駆動及びこれらの制御するための各種基板４０〜４４を固定したシャーシ２５を共通化できる。このような部品の共通化によって背面投射型映像装置１の製造コストを削減できるとともに、部品管理も容易となり、インチサイズの異なる背面投射型映像装置１を簡単に製造することが可能となる。
【００２８】
この場合には、スクリーン７，７ａのインチサイズに合わせて反射ミラー９へ入射する投写ユニット１５の角度、上部キャビネット３に取り付ける反射ミラー９の角度の設定が必要である。即ち、図１に示すように、４２インチのスクリーン７は、投写ユニット１５の投写レンズ１９の光軸Ｒ１が６９°（水平線に対して）となるように支持フレーム２０の立ち上がり部２０ｂにセットされ、また、反射ミラー９は水平線ａに対して取付角度α１が５７°となるように上部キャビネット３にセットされる。なお、４２インチのスクリーン７を備える背面投射型映像装置１においては、投写ユニット１５を固定する支持フレーム２０の立ち上がり部２０ｂは底板部２０ａに対して角度αが９０°に設定されている。
【００２９】
一方、５２インチのスクリーン７ａは、投写ユニット１５の投写レンズ１９の光軸Ｒ１が水平線に対して６６°となるように投写ユニット１５が支持フレーム２０の立ち上がり部２０ｂにセットされ、また、反射ミラー９は取付角度α２が水平線ａに対して５８．５°となるように上部キャビネット３にセットされる。即ち、５２インチのスクリーン７ａを選択した場合、投写ユニット１５を固定する支持フレーム２０の立ち上がり部２０ｂを垂線に対して３°内側に傾斜させて底板部２０ａに対する立ち上がり部２０ｂの角度αを８７°に設定している。このように立ち上がり部２０ｂを３°内側に傾斜させることによって、投写レンズ１９から投写される光学像の光軸Ｒ１をバックキャビネット６側に傾斜させる。一方、投写レンズ１９からの光学像を反射する反射ミラー９を起立方向に１．５°傾斜させる。このように反射ミラー９を起立方向に１．５°傾斜させることによって、図３に示すように、投写ユニット１５、反射ミラー９の角度のセッティングを変えずにフォーカスを調整して４２インチのスクリーン７から５２インチのスクリーン７ａへとサイズの変更を行う場合に比べて（図３で従来のフォーカス調整によるサイズの変更方法を二点鎖線で示す）スクリーン７ａから反射ミラー９の後端部までの幅ｗは、従来のスクリーン７ａから反射ミラー９の後端部までの幅ｗ１より狭くなるから、キャビネット２、ひいては背面投射型映像装置１の薄型化が可能となる。また、反射ミラー９の取付角度に合わせた取付部８を有するバックキャビネット６をスクリーン７又は７ａのサイズに応じて種々用意するとともに、各スクリーン７又は７ａのサイズに対応して予め立ち上がり部２０ｂの角度αを設定した支持フレーム２０を種々用意しておけば、バックキャビネット６の取付部８に反射ミラー９を固定するだけで反射ミラー９の取付角度を簡単に合わせることができ、同様に、支持フレーム２０の立ち上がり部２０ｂに投写ユニット１５を固定するだけで、投写ユニット１５の光軸Ｒ１の角度を簡単に合わせることができる。
【００３０】
以上のように、投写ユニット１５を含む背面投射型映像装置１の駆動及びこれらの制御するための各種基板４０〜４４が固定されるシャーシ２５を共通化し（場合によってはシャーシ２５を含む下部キャビネット４の共通化も可能）、サイズが異なるスクリーン７を組み込んだ上部キャビネット３を選択的に組付ける。例えば、スクリーン７のサイズとして４２インチ、５０インチ又はそれ以上のいずれにも適用することができ、上部キャビネット３を代えるだけで背面投射型映像装置１の主要部、本実施例では投写ユニット１５含む背面投射型映像装置１の駆動及びこれらの制御するための各種基板４０〜４４を固定したシャーシ２５を共通化できる。このような部品の共通化によって背面投射型映像装置１の製造コストを削減できるとともに、部品管理も容易となり、インチサイズの異なる背面投射型映像装置１を簡単に製造することが可能となる。また、スクリーン７，７ａのインチサイズに合わせて反射ミラー９へ入射する投写ユニット１５の角度、上部キャビネット３に取り付ける反射ミラー９の角度を設定することで、従来のように、フォーカスを調整してサイズの変更を行う場合に比べてキャビネット２、ひいては背面投射型映像装置１の薄型化が可能となる。さらに、各スクリーン７又は７ａに対応した取付部８を有するバックキャビネット６を複数種用意するとともに、各スクリーン７又は７ａに対応して立ち上がり部２０ｂの傾斜角αを設定した支持フレーム２０を複数種用意しておけば、これらバックキャビネット６と支持フレーム２０に反射ミラー９と、投写ユニット１５を固定するだけで、反射ミラー９と投写ユニット１５との位置関係を正確に合わせた状態でセットすることが可能となり、組付け後に簡単なピント調整だけで済むため、調整作業も容易である。
【００３１】
以上、本発明の実施例について詳述したが、本発明は前記実施例に限定されるものではなく、本発明の要旨の範囲内で種々の変形実施が可能である。例えば、キャビネットや各構成部品の形状及び取付構造なども前記実施例に限定されるものではなく、適宜選定すればよい。また、前記実施例では、シャーシ２５を共通化した例を示したが、シャーシ２５を含めた下部キャビネット４の共通化も可能である。また前記実施例では、具体例として４２インチ、５０インチのスクリーン７、７ａを例として説明したが、これらのインチサイズに限定されるものではなく、各種のインチサイズに適用可能である。
【図面の簡単な説明】
【００３２】
【図１】本実施例に係る背面投射型映像装置を側面側から見た断面図であり、４２インチのスクリーンを備えた場合を示している。
【図２】同上、背面投射型映像装置を側面側から見た断面図であり、５２インチのスクリーンを備えた場合を示している。
【図３】同上、インチサイズを変えた場合の反射ミラーと投写ユニットの位置関係を示す説明図である。
【図４】同上、基板のレイアウトを示す平面図である。
【図５】従来のリアプロダクションにおける投写レンズのフォーカスの原理を示す説明図である。
【符号の説明】
【００３３】
１  背面投射型映像装置
２  筐体
３  上部キャビネット
４  下部キャビネット
５  フロントキャビネット
６  バックキャビネット
７，７ａ  スクリーン
９  反射ミラー
１５  投写ユニット
１５ａ  ドライバ回路基板
１６  ランプ
１７  ランプユニット
１８  ケーシング
２０  支持フレーム
２０ａ  底板部
２０ｂ  立ち上がり部
２５  シャーシ
４０  電源回路基板
４１  アナログ信号処理基板
４２  デジタル回路基板
４３  スケーラー回路基板
４４  ランプ駆動回路基板
【図１】
2006098925.tif 000003
【図２】
2006098925.tif 000004
【図３】
2006098925.tif 000005
【図４】
2006098925.tif 000006
【図５】
2006098925.tif 000007